(57)【要約】【課題】太陽光下でデジタルカメラの表示画面を見やすくする。【解決手段】デジタルカメラ１０のカメラボディ１１の底面に、ヒンジ部２２を介して液晶表示部１２を取り付ける。ヒンジ部２２は、カメラボディ１１の底面に設けられた第１ヒンジ部２２ａと、収納枠２１に設けられた第２ヒンジ部２２ｂと、撮影光軸とほぼ直交する中心軸２２ｃとから構成される。中心軸２２ｃを中心として、液晶表示部１２を、その表示面２０がカメラボディ１１の底面と対面するように畳まれる倒伏位置と、表示面２０がカメラボディ１１の底面から起立する起立位置との間で自在に回動させる。【選択図】        図１
2004328492.tif 000002
【特許請求の範囲】
【請求項１】
撮影手段で得た画像信号に基づいて画像表示が行われる画像表示手段を有するデジタルカメラにおいて、
前記画像表示手段が撮影光軸とほぼ直交する回動軸を中心に軸着され、その表示面がカメラボディの底面と対面するように畳まれる倒伏位置と、表示面がカメラボディの底面から起立する起立位置との間で回動自在であることを特徴するデジタルカメラ。
【請求項２】
撮影手段で得た画像信号に基づいて画像表示が行われる画像表示手段を有するデジタルカメラにおいて、
前記画像表示手段が撮影光軸とほぼ直交する第１回動軸によりカメラボディの上面で起伏自在に軸着され、その表示面がカメラボディの上面と対面するように畳まれる倒伏位置と、カメラボディの上面から起立する起立位置との間で回動自在であり、
且つ画像表示手段が、前記第１回動軸とほぼ直交する第２回動軸に軸着され、この第２回動軸を中心として、画像表示手段を第１回動軸とともに、カメラボディの底面側に回動可能であることを特徴とするデジタルカメラ。
【請求項３】
前記画像表示手段がカメラボディの上面側と底面側とのいずれにあるかを検出する検出手段を設け、この検出手段からの信号に応じて画像表示手段の表示面に表示される画像の姿勢を変更するようにしたことを特徴とする請求項２記載のデジタルカメラ。
【請求項４】
撮影手段で得た画像信号に基づいて画像表示が行われる画像表示手段を有するデジタルカメラにおいて、
前記画像表示手段の側面と、カメラボディの側面とを連結する連結部材を設け、この連結部材の一端は、画像表示手段の側面に設けられた軸であって、且つ撮影光軸とほぼ直交する第１回動軸に回動自在に保持され、
他端は、カメラボディの側面に設けられた軸であって、且つ撮影光軸とほぼ直交する第２回動軸に回動自在に保持され、
且つ画像表示手段は、カメラボディの上面から起立する第１起立位置と、カメラボディの底面から起立する第２起立位置との間で移動自在であることを特徴とするデジタルカメラ。
【請求項５】
前記撮影手段が撮影光軸と垂直な回転軸に回動自在に取り付けられていることを特徴とする請求項１から請求項４記載のデジタルカメラ。
【発明の詳細な説明】
【０００１】
【発明の属する技術分野】
本発明は、撮影手段で得た画像信号に基づいて画像表示が行われる画像表示手段を有するデジタルカメラに関するものである。
【０００２】
【従来の技術】
市販されているデジタルカメラの多くには撮影レンズを介して取得された画像を表示する画像表示手段として液晶モニタが搭載されている。この種のデジタルカメラには、例えば、特許文献１に記載されているように、カメラボディに対して回動可能な液晶モニタを備えたデジタルカメラがある。この液晶モニタは、カメラボディの前面、横面及び背面などの任意の位置に回動させることができるため、撮影時には、通常の撮影だけでなく、セルフ撮影や、デジタルカメラの前面または横面から液晶モニタを観察しながらのフレーミングが可能となる。さらに、非撮影時には、液晶モニタをデジタルカメラの撮影レンズを保護する保護位置に回動させることができる。そのため、液晶モニタを撮影レンズを保護するレンズカバーとして用いることができる。
【０００３】
【特許文献１】
特開平０８−３３１４２４号公報  （第３頁、第５図）
【０００４】
【発明が解決しようとする課題】
ところで、上記のデジタルカメラは、屋内での撮影では特に問題は生じないが、日中の屋外での撮影、特に太陽光下では、液晶モニタの画面の明るさより周囲の明るさが勝るため、表示画像のコントラストが低くなり、表示画像の確認が難しくなる。この対策として、小型の液晶ディスプレイをカメラ本体に内蔵し、そこに表示される画像をルーペで拡大する電子ビューファインダー（ＥＶＦ）を設けても良いが、液晶モニタ及びＥＶＦを両方設けるとカメラの小型化が難しくなる。さらに、部品数が増えるためにコストが上昇する恐れがある。また、液晶モニタに遮光用のフードを設け、表示画面に太陽光が差し込まないようにすることもできるが、上述のＥＶＦを設けた場合と同様の問題が発生する可能性がある。
【０００５】
本発明は上記課題を解決するためのものであり、遮光フードやＥＶＦを設けることなく太陽光下での表示画像の確認をできるようにしたデジタルカメラを提供することを目的とする。
【０００６】
【課題を解決するための手段】
上記目的を達成するために、撮影手段で得た画像信号に基づいて画像表示が行われる画像表示手段を有するデジタルカメラにおいて、前記画像表示手段が撮影光軸とほぼ直交する回動軸を中心に軸着され、その表示面がカメラボディの底面と対面するように畳まれる倒伏位置と、表示面がカメラボディの底面から起立する起立位置との間で回動自在であることを特徴する。さらに、前記撮影手段が撮影光軸と垂直な回転軸に回動自在に取り付けられていることが好ましい。
【０００７】
また、本発明のデジタルカメラは、撮影手段で得た画像信号に基づいて画像表示が行われる画像表示手段を有するデジタルカメラにおいて、前記画像表示手段が撮影光軸とほぼ直交する第１回動軸によりカメラボディの上面で起伏自在に軸着され、その表示面がカメラボディの上面と対面するように畳まれる倒伏位置と、カメラボディの上面から起立する起立位置との間で回動自在であり、且つ画像表示手段が、前記第１回動軸とほぼ直交する第２回動軸に軸着され、この第２回動軸を中心として、画像表示手段を第１回動軸とともに、カメラボディの底面側に回動可能であることを特徴とする。さらに、前記画像表示手段がカメラボディの上面側と底面側とのいずれにあるかを検出する検出手段を設け、この検出手段からの信号に応じて画像表示手段の表示面に表示される画像の姿勢を変更することが好ましい。また、前記撮影手段が撮影光軸と垂直な回転軸に回動自在に取り付けられていることが好ましい。
【０００８】
また、本発明のデジタルカメラは、撮影手段で得た画像信号に基づいて画像表示が行われる画像表示手段を有するデジタルカメラにおいて、前記画像表示手段の側面と、カメラボディの側面とを連結する連結部材を設け、この連結部材の一端は、画像表示手段の側面に設けられた軸であって、且つ撮影光軸とほぼ直交する第１回動軸に回動自在に保持され、他端は、カメラボディの側面に設けられた軸であって、且つ撮影光軸とほぼ直交する第２回動軸に回動自在に保持され、且つ画像表示手段は、カメラボディの上面から起立する第１起立位置と、カメラボディの底面から起立する第２起立位置との間で移動自在であることを特徴とする。さらに、前記撮影手段が撮影光軸と垂直な回転軸に回動自在に取り付けられていることが好ましい。
【０００９】
【発明の実施の形態】
図１（Ａ），（Ｂ）は、本発明を実施したデジタルカメラの外観を示す斜視図である。（Ａ）は撮影時の状態を示し、（Ｂ）は非撮影の状態を示している。デジタルカメラ１０は、大別して、カメラボディ１１と液晶表示部１２とに分けられる。このカメラボディ１１の前面には、被写体に向けてストロボ光を発光するストロボ発光部１３、撮影レンズ１４が組み込まれたレンズ鏡筒１５、レンズ鏡筒回動部１６などが設けられている。レンズ鏡筒回動部１６は、撮影光軸と垂直な軸１６ａを中心としてレンズ鏡筒１５を回動自在に保持する。
【００１０】
カメラボディ１１の上面には、シャッタレリーズ操作に用いられるレリーズボタン１８が設けられ、背面には、図示は省略するが、電源ボタン、ズーム操作や再生コマの切り換えに使用される十字キー等からなる操作パネルが設けられている。
【００１１】
液晶表示部１２は、表示画面２０及び表示画面２０を収納する収納枠２１等から構成されている。表示画面２０は、カラー表示の液晶モニタであり、撮影時には、被写体の画像が表示され、記録した画像を再生する再生モード時には、撮影画像が表示される。液晶表示部１２は、ヒンジ部２２を介してカメラボディ１１の底面に取り付けられている。液晶表示部１２をカメラボディ１１の底面に取り付けることにより、カメラボディ１１が遮光フードの役割を果たす。この液晶表示部１２の取り付け位置は、カメラボディ１１の底面の面積、液晶表示部１２の大きさ等により変わるが、カメラボディ１１により表示画面２０に照射される外光、特に太陽光を遮光できる位置であれば任意の位置でよい。これにより、フード部材等を用いることなく表示画面２０への太陽光の写り込みを減少させることができる。
【００１２】
ヒンジ部２２は、カメラボディ１１の底面に設けられた第１ヒンジ部２２ａと、収納枠２１に設けられた第２ヒンジ部２２ｂとから構成され、その中心軸２２ｃは、撮影光軸とほぼ直交している。液晶表示部１２は、ヒンジ部２２の中心軸２２ｃを中心として、カメラボディ１１に対して自在に回動させることができる。ヒンジ部２２には、図１（Ｂ）に示したような、表示画面２０をカメラボディ１１の底面と対面するように畳んだ倒伏位置と、図１（Ａ）に示したような表示画面２０がカメラボディ１１の底面から起立する起立位置とにおいて、液晶表示部１２の姿勢を保持させるクリック機構（図示せず）が設けられている。また、液晶表示部１２は、上記の起立位置だけに限らず、摩擦機能により、ユーザが観察しやすい任意の角度に傾けた位置で保持することができる。
【００１３】
上述したように、レンズ鏡筒回動部１６により、レンズ鏡筒１５は撮影光軸に垂直な軸１６ａを中心に自在に回動させることができる。そのため、例えば図２に示すように、デジタルカメラ１０を低い位置で構えた場合において、ユーザが表示画面２０を観察しやすいように、デジタルカメラ１０を傾けた状態で、レンズ鏡筒１５を被写体方向に向くように回動させることができる。また、例えば戸棚の上などの高い位置に置かれている被写体を撮影する場合においても、同様にレンズ鏡筒１５を被写体方向に回動させればよい。これにより、デジタルカメラ１０を高い位置または低い位置に構えた場合においても、ユーザは、姿勢をさほど変えることなく、表示画面２０を観察することが可能となる。
【００１４】
次に上記の実施形態の作用について説明する。図１（Ｂ）に示すように、非撮影時には、カメラの持ち運び、収納、表示画面２０の保護などが考慮されて、液晶表示部１２は、その表示画面２０がカメラボディ１１の底面と対面するように畳まれている。撮影時（または記録画像の再生時）には、ユーザはデジタルカメラ１０の電源をオンにし、同時に、液晶表示部１２を図１（Ａ）に示すような起立位置に回動させる。
【００１５】
ユーザは、両手でカメラボディ１１の側面を保持しながら、表示画面２０を観察して被写体の構図を決める。また、上述したように、必要に応じてレンズ鏡筒１５を回動させる。この際、カメラボディ１１が遮光フードの代わりになるため、太陽光下で撮影を行っても表示画面２０はカメラボディ１１の影に入ってしまう。そのため、表示画面２０への太陽光の写り込みが減少し、ユーザが観察しやすくなる。被写体の構図が決定したらユーザは、レリーズボタン１８を押下し、被写体画像の撮影を行う。撮影が完了したら、ユーザは、デジタルカメラ１０の電源をオフにし、液晶表示部１２を上述の非撮影時の状態に戻す。
【００１６】
次に、本発明の第２の実施形態について説明する。上記第１の実施形態では、カメラボディ１１の底面に液晶表示部１２をヒンジ部２２を介して取り付け、さらに、液晶表示部１２を倒伏位置と、起立位置またはユーザが観察しやすい位置との間で回動させるようにしたが、以下に説明する第２の実施形態では、液晶表示部が、カメラボディの上面と底面とに回動自在に取り付けられた形態についての例を挙げる。なお、上記第１の実施形態と同一の部材については、同一の符号を付してその説明を省略する。
【００１７】
図３（Ａ），（Ｂ）は、本発明の第２の実施形態の外観を示す斜視図である。（Ａ）は撮影時の状態を示し、（Ｂ）は非撮影時の状態を示している。デジタルカメラ３０も上述の第１の実施例と同様に、大別して、カメラボディ３１と液晶表示部３２とに分けられる。このデジタルカメラ３０では、第１の実施形態と異なり、液晶表示部３２が、第１回動軸３４と第２回動軸３５とからなる２つの回動軸に取り付けられている。
【００１８】
第１の実施形態のヒンジ部２２と基本的には同じように、液晶表示部３２を、撮影光軸とほぼ直交する第１回動軸３４を中心として、非撮影時には、図３（Ｂ）に示したような表示画面３７（図４参照）がカメラボディ３１の上面と対面するように畳んだ倒伏位置と、撮影時には、図３（Ａ）に示したような、カメラボディ３１の上面から起立した起立位置との間で自在に回動させることができる。なお、液晶表示部３２は、第１の実施例と同様に、摩擦機能によりユーザが観察しやすい任意の角度で保持することができる。また、第１回動軸３４の図中右端部には、液晶表示部３２を第１回動軸にほぼ直交する第２回動軸３５に取り付けるための取付部３８ａが設けられている。
【００１９】
取付部３８ａは、第２回動軸３５に延設された取付部３８ｂに固定されている。なお、取付部３８ａと取付部３８ｂとは一体に形成されていてもよい。これにより、液晶表示部３２及び第１回動軸３４を、図４（Ａ），（Ｂ）に示すように、第２回動軸３５を中心に回動させることができる。図４は、デジタルカメラ３０の背面図である。液晶表示部３２及び第１回動軸３４は、第２回動軸３５を中心として、（Ａ）に示したようなカメラボディ３１の上面、つまり、第１回動軸３４の底面とカメラボディ３１の上面とが接した通常の表示位置と、（Ｂ）に示したような通常の表示位置から２７０°回転させ、液晶表示部３２の図中左側面（図３では右側面）とカメラボディ３１の底面とが接した位置との間で自在に回動させられる。そのため、第１の実施例と同様に、液晶表示部３２をカメラボディ３１の底面側に位置させることにより、カメラボディ３１を遮光フードとして利用することができる。
【００２０】
ユーザは、日中の屋外での撮影などにおいて、液晶表示部３２の表示画面３７への太陽光の写り込みがひどい場合には、液晶表示部３２を通常の表示位置から２７０°回動させた位置、つまり遮光位置に回動させることにより、表示画面３７への太陽光の写り込みを減少させることができる。なお、カメラボディ３１の底面には、液晶表示部３２を通常の表示位置から２７０°回動させた際に、取付部３８ｂの一部を潜り込ませるための切欠３９が形成されている。
【００２１】
液晶表示部３２を通常の表示位置から遮光位置に２７０°回動させると、表示画面３７上の表示画像４１も２７０°回転させられるため、表示画像４１がユーザに対して横向きになってしまい非常に観察しにくい。そのため、液晶表示部３２が遮光位置にあるときには、ユーザに対して表示画像４１を正立させる必要がある。この際、表示画面３７のアスペクト比が１：１なら表示画像４１を回転させるだけでよいが、デジタルカメラの表示画面のアスペクト比は４：３のものが多いので、この場合には、表示画像４１の回転及び縮小を行う必要がある。そのため、デジタルカメラ３０には、液晶表示部３２が通常の表示位置と遮光位置とのいずれにあるかを検出する表示位置検出手段と、表示位置検出手段により検出された結果に基づき、表示画面３７の表示画像４１の回転及び縮小を行う表示制御手段とが設けられている。
【００２２】
表示位置検出手段として、カメラボディ３１の内部の上面側と底面側とにそれぞれ表示位置検出スイッチ（以下、検出スイッチと省略する）４３ａ，４３ｂが設けられている。検出スイッチ４３ａ，４３ｂには、押しボタンが設けれている。液晶表示部３２が通常の表示位置にあるときには、検出スイッチ４３ａの押しボタンが押圧され、他方、遮光位置にあるときには、検出スイッチ４３ｂの押しボタンが押圧される。
【００２３】
図５は、表示画像４１の姿勢及び大きさなどの表示形態を切り替える表示制御手段の電気的構成を示すブロック図である。システムコントローラ４５は、図示は省略するが、ＣＰＵ、ワークＲＯＭ、ワークＲＡＭなどからなり、カメラ全体の動作を統括制御する。このシステムコントローラ４５には、撮影レンズ１４及びＣＣＤ（図示せず）を介して取得された被写体画像信号をデジタル化して様々な画像処理を施す画像処理部４６、検出スイッチ４３ａ，４３ｂ、操作パネル４７、デジタル化された画像データをアナログ信号に変換して表示画面３７に被写体画像を表示する表示処理部４８の他に、図示は省略するが、レリーズボタン、画像データを記録するメモリカード等が接続されている。
【００２４】
システムコントローラ４５は、検出スイッチ４３ａの押圧が解除され、且つ検出スイッチ４３ｂが押圧されたときにのみ、表示画面３７が遮光位置にあると判定し、それ以外の場合には、通常の表示位置にあると判定する。表示画面３７が遮光位置にあると判定されと、システムコントローラ４５は、画像処理部４６において、取得された画像データに回転及び縮小処理を施す。縮小の割合は、表示画面３７のアスペクト比に基づき、例えば、アスペクト比が４：３の場合には、表示画像４１は３／４に縮小される。これにより、ユーザが液晶表示部３２を通常の表示位置から遮光位置に回転させると、表示画像４１は、図４（Ｂ）に示すように、ユーザに対して正立するように回転され、同時に、表示画面３７に画像全体を表示できるように縮小される。
【００２５】
次に、図６を用いて上述の第２実施形態の作用について説明する。非撮影時には、液晶表示部３２は、その表示画面３７がカメラボディ３１の上面と対面するように畳まれている（図３（Ｂ）参照）。撮影時には、ユーザは、デジタルカメラ３０の電源をオンにし、同時に第１回動軸３４を中心として、表示画面３７を起立位置に回動させる（図３（Ａ）参照）。また、撮影時の状況に応じて、液晶表示部３２及び第１回動軸３４を第２回動軸３５を中心として通常の表示位置から遮光位置に回動させる。
【００２６】
撮影レンズ１４及びＣＣＤを介して取得された被写体画像は、上述したように、画像処理部４６によりデジタル化され、様々な画像処理が施される。この際、システムコントローラ４５は、液晶表示部３２が遮光位置にあるときには、画像データに回転及び縮小処理を施す。画像処理完了後の画像データは、表示処理部４８によりアナログ信号に変換された後に、表示画面３７に転送されて被写体画像が表示される。ユーザは、表示画面３７を見ながら被写体画像の構図を決め、被写体の構図が決定したら、レリーズボタンを押下し、被写体画像の撮影を行う。撮影が完了したら、デジタルカメラ３０の電源をＯＦＦにし、液晶表示部３２を上述の非撮影時の状態に戻す。また、記録された画像を再生する場合にも同様に、周囲の状況に応じて、液晶表示部３２を遮光位置に回転させる。
【００２７】
上述した通り第２の実施形態においても、日中の屋外での撮影など周囲の状況に応じて、液晶表示部３２を遮光位置に回転させることにより、表示画面３７への太陽光の写り込みを軽減することができる。また、液晶表示部３２を遮光位置に回転させたときには、表示画像４１の回転及び縮小処理が行われるため、表示画像が見にくくなることはない。
【００２８】
なお、第２の実施形態では、検出スイッチ４３ａ，４３ｂを設け、液晶表示部３２が通常の表示位置と遮光位置とのいずれにあるかを判断したが、これに限らず、例えば、操作パネル４７にレバースイッチ等の各種切替部材を設けて、ユーザがマニュアルで切り替えるようにしてもよい。
【００２９】
次に、本発明の第３の実施形態について説明する。上記第２の実施形態では、第２回転軸３５を中心にして、液晶表示部３２を通常の表示位置と遮光位置とで回動させるようにしたが、以下に説明する第３の実施形態では、液晶表示部の側面とカメラボディの側面とをアームなどの連結部材により連結し、この連結を維持した状態で、液晶表示部をカメラボディの上面側と底面側とのいずれにも移動させられる形態についての例を挙げる。なお、上記第１、第２の実施形態と同一の部材については、同一の符号を付してその説明を省略する。
【００３０】
図７（Ａ），（Ｂ）は、本発明の第３の実施形態の外観を示す斜視図である。図７に示すように、デジタルカメラ５０は、第２の実施形態と同様に、カメラボディ５１の上面側と底面側とのいずれにも液晶表示部５２を移動させることができる。第２の実施形態と異なるのは、カメラボディ５１の側面と液晶表示部５２の側面とが、アーム５３により連結されている。さらに、このアーム５３の一端は、カメラボディ５１の側面に設けられた軸であって、且つ撮影光軸とほぼ直交する回動軸５３ａに回動自在に保持され、他端は、液晶表示部５２の側面に設けられた軸であって、且つ撮影光軸とほぼ直交する回動軸５３ｂに回動自在に保持されている。このアーム５３及び回動軸５３ａ，５３ｂは、図示はされていないが、もちろんカメラボディ５１及び液晶表示部５２の図中左側面にも設けられている。これにより、第２の実施例のように液晶表示部５２の表示画面を回転させることなく、液晶表示部５２を（Ａ）に示したような、カメラボディ５１の上面から起立する第１起立位置から、（Ｂ）に示したような、カメラボディ５１の底面から起立する第２起立位置に移動させることができる。
【００３１】
また、液晶表示部５２は、上記の第１起立位置及び第２起立位置に限らず、摩擦機能によりユーザが観察しやすい任意の角度で保持することができる。さらに、非撮影時には、上述の第１及び第２の実施形態と同様に、液晶表示部５２の表示画面が、カメラボディ５１の上面または底面と対面するように畳むことができる。
【００３２】
上述の通り、第３の実施形態も第２の実施形態と同様に、周囲の状況に応じて、液晶表示部５２をカメラボディ５１の底面に移動させることにより、カメラボディ５１を遮光フードとして利用することができる。さらに、表示画面を回転させることなく、液晶表示部５２をカメラボディ５１の上面側と底面側とのいずれにも移動させることができるので、表示画像の回転及び縮小などの処理を行う必要がない。
【００３３】
なお、第２及び第３の実施形態では図示は省略したが、第１の実施形態と同様に、レンズ鏡筒回動部を設け、レンズ鏡筒を撮影光軸に垂直な軸を中心に回動させるようにしてもよい。
【００３４】
また、本発明の第１〜第３の実施形態ではデジタルカメラを例に説明したが、これに限らず、デジタルビデオカメラ、カメラ一体型ＶＴＲやＶＣＲなどに使用してもよい。
【００３５】
【発明の効果】
以上のように、本発明のデジタルカメラによれば、撮影手段で得た画像信号に基づいて画像表示が行われる画像表示手段を有するデジタルカメラにおいて、前記画像表示手段が撮影光軸とほぼ直交する回動軸を中心に軸着され、その表示面がカメラボディの底面と対面するように畳まれる倒伏位置と、表示面がカメラボディの底面から起立する起立位置との間で回動自在にしたので、カメラボディを遮光フードとして利用できる。これにより、フード部材等を用いることなく表示面への太陽光の写り込みを減少させることができる。
【００３６】
本発明のデジタルカメラによれば、撮影手段で得た画像信号に基づいて画像表示が行われる画像表示手段を有するデジタルカメラにおいて、前記画像表示手段が撮影光軸とほぼ直交する第１回動軸によりカメラボディの上面で起伏自在に軸着され、その表示面がカメラボディの上面と対面するように畳まれる倒伏位置と、カメラボディの上面から起立する起立位置との間で回動自在であり、且つ画像表示手段が、前記第１回動軸とほぼ直交する第２回動軸に軸着され、この第２回動軸を中心として、画像表示手段を第１回動軸とともに、カメラボディの底面側に回動可能とし、さらに、前記画像表示手段がカメラボディの上面側と底面側とのいずれにあるかを検出する検出手段を設け、この検出手段からの信号に応じて画像表示手段の表示面に表示される画像の姿勢を変更するようにしたので、周囲の状況に応じて、画像表示手段をカメラボディの底面側に回動させることにより、フード部材等を用いることなく表示面への太陽光の写り込みを軽減することができる。また、画像表示手段を遮光位置に回転させたときには、表示画像の回転及び縮小処理が行われるため、画像が見にくくなることはない。
【００３７】
本発明のデジタルカメラによれば、撮影手段で得た画像信号に基づいて画像表示が行われる画像表示手段を有するデジタルカメラにおいて、前記画像表示手段の側面と、カメラボディの側面とを連結する連結部材を設け、この連結部材の一端は、画像表示手段の側面に設けられた軸であって、且つ撮影光軸とほぼ直交する第１回動軸に回動自在に保持され、他端は、カメラボディの側面に設けられた軸であって、且つ撮影光軸とほぼ直交する第２回動軸に回動自在に保持され、且つ画像表示手段は、カメラボディの上面から起立する第１起立位置と、カメラボディの底面から起立する第２起立位置との間で移動自在にしたので、フード部材等を用いることなく表示面への太陽光の写り込みを軽減することができる。
【図面の簡単な説明】
【図１】本発明を実施した第１の実施形態のデジタルカメラの斜視図である。（Ａ）は撮影時の状態を示し、（Ｂ）は非撮影時の状態を示している。
【図２】第１の実施形態のデジタルカメラのレンズ鏡筒を撮影光軸に垂直な軸を中心に自在に回動させた実施例を示す概略図である。
【図３】本発明を実施した第２の実施形態のデジタルカメラの斜視図である。（Ａ）は撮影時の状態を示し、（Ｂ）は非撮影時の状態を示している。
【図４】第２の実施形態のデジタルカメラの背面図である。（Ａ）は液晶表示部を通常の表示位置に位置させた状態を示し、（Ｂ）は液晶表示部を遮光位置に位置させた状態を示している。
【図５】第２の実施形態のデジタルカメラにより表示される表示画像の表示形態を切り替える表示制御機構の電気的構成を示すブロック図である。
【図６】第２の実施形態のデジタルカメラの表示制御機構の手順を示すフローチャートである。
【図７】本発明を実施した第３の実施形態のデジタルカメラの斜視図である。（Ａ）は液晶表示部がカメラボディの上面から起立している状態を示し、（Ｂ）は液晶表示部がカメラボディの底面から起立している状態を示している。
【符号の説明】
１０  デジタルカメラ
１１  カメラボディ
１２  液晶表示部
１５  レンズ鏡筒
１６  レンズ鏡筒回動部
２０  表示画面
２２  ヒンジ部
３１  カメラボディ
３２  液晶表示部
３４  第１回転軸
３５  第２回転軸
３７  表示画面
４１  表示画像
４３ａ，４３ｂ  表示位置検出スイッチ
５１  カメラボディ
５２  液晶表示部
５３  アーム
５３ａ，５３ｂ  回動軸
【図１】
2004328492.tif 000003
【図２】
2004328492.tif 000004
【図３】
2004328492.tif 000005
【図４】
2004328492.tif 000006
【図５】
2004328492.tif 000007
【図６】
2004328492.tif 000008
【図７】
2004328492.tif 000009